(57)【要約】【課題】使用者がディスプレイアームを操作するときに表示部をいじることが少ないヘッドマウントディスプレイを提供する。【解決手段】使用時には、表示部５が使用者の眼前に来るようにして使用し、使用しないとき（休止時）には、ディスプレイアーム４を頭頂部方向に回動させて、表示部５を眼前から待避させる。この実施の形態においては、ディスプレイアーム４にグリップ６が取り付けられている。グリップ６は、使用者の顔の側面部に位置するように取り付けられ、ヘッドマウントディスプレイの使用時に、使用者の視界に入らないようにされている。ディスプレイアーム４を回動させるとき、使用者はグリップ６をつまんで、ディスプレイアーム４を回動させる。これにより、ディスプレイアーム４を回動させるとき、使用者が表示部５を掴んで回動させることを防ぐことができる。【選択図】  図１
2007251305.tif 000002
【特許請求の範囲】
【請求項１】
使用者の頭部のそれぞれ異なる位置に当接する２つの当接部材と、前記２つの当接部材を連結する連結部と、使用者の眼に映像を表示する表示部と、前記表示部を保持し、前記当接部材に保持されたディスプレイアームとを有し、前記ディスプレイアームが、前記当接部材に対して、装着時の上下方向に回動可能とされているヘッドマウントディスプレイであって、前記ディスプレイアームにグリップ部が設けられていることを特徴とするヘッドマウントディスプレイ。
【請求項２】
前記グリップ部が、表示又は電源をオンオフするスイッチ、又は表示や音声を制御するリモートコントロールスイッチを兼ねていることを特徴とする請求項１に記載のヘッドマウントディスプレイ。
【請求項３】
前記グリップ部が、前記ディスプレイアームの前記当接部材に対する回動を停止させる回動停止機構を兼ねていることを特徴とする請求項１に記載のヘッドマウントディスプレイ
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
このようなヘッドマウントディスプレイの中に、２つのスピーカー部のそれぞれに設けられた２つのヘッドホーンハウジングと、前記２つのヘッドホーンハウジングを連結する連結部と、使用者の眼に映像を表示する表示部と、前記表示部を保持するディスプレイアームとを有し、前記ディスプレイアームが、前記ヘッドホーンハウジングに対して、装着時の上下方向に回動可能とされているものがある。
【０００５】
このようなヘッドマウントディスプレイにおいては、例えば表示部を眼前位置から待避させるとき、ディスプレイアームを手に持ち、ヘッドホーンハウジングに対して回動させて、眼前位置から離すようにする。
【０００６】
その際、使用者が、表示部を掴んでディスプレイアームを回動させる場合があり、表示部に過剰な力がかかって、ディスプレイアームとの結合部が破損する恐れがあった。
【０００７】
本発明はこのような事情に鑑みてなされたものであり、使用者がディスプレイアームを操作するときに表示部をいじることが少ないヘッドマウントディスプレイを提供することを課題とする。
【課題を解決するための手段】
【０００８】
前記課題を達成するための第１の手段は、使用者の頭部のそれぞれ異なる位置に当接する２つの当接部材と、前記２つの当接部材を連結する連結部と、使用者の眼に映像を表示する表示部と、前記表示部を保持し、前記当接部材に保持されたディスプレイアームとを有し、前記ディスプレイアームが、前記当接部材に対して、装着時の上下方向に回動可能とされているヘッドマウントディスプレイであって、前記ディスプレイアームにグリップ部が設けられていることを特徴とするヘッドマウントディスプレイである。
【０００９】
前記課題を解決するための第２の手段は、前記第１の手段であって、前記グリップ部が、表示又が電源をオンオフするスイッチ、又は表示や音声を制御するリモートコントロールスイッチを兼ねていることを特徴とするものである。
【００１０】
前記課題を解決するための第３の手段は、前記第１の手段であって、前記グリップ部が、前記ディスプレイアームの前記当接部材に対する回動を停止させる回動停止機構を兼ねていることを特徴とするものである。
【００１１】
なお、当接部材には、耳に当接し、音声出力を有する手段を持つものも含まれる。
【発明の効果】
【００１２】
本発明によれば、使用者がディスプレイアームを操作するときに表示部をいじることが少ないヘッドマウントディスプレイを提供することができる。
【発明を実施するための最良の形態】
【００１３】
以下、本発明の実施の形態の例を、図を用いて説明する。図１は、本発明の実施の形態の１例であるヘッドマウントディスプレイを装着した様子を示す概要図であり、（ａ）は平面図、（ｂ）は側面図である。本ヘッドマウントディスプレイは、使用者の両耳に当接し、音声出力部を有したヘッドホーンを具備し、音声出力部の外装部材である２つのヘッドホーンハウジング１は、連結部２により連結されている。そして、一つのヘッドホーンハウジング１には、ディスプレイアーム支持部３が設けられ、ディスプレイアーム支持部３には、ディスプレイアーム４が、ディスプレイアーム支持部３に対して、装着時の上下方向に回動可能なように設けられている。ディスプレイアーム４の先端部は、使用時における顔面と略平行となるように曲げられており、その先端に、映像を表示する表示部５が取り付けられている。図１（ｂ）に示すように、使用時には、表示部５が使用者の眼前に来るようにして使用し、使用しないとき（休止時）には、ディスプレイアーム４を頭頂部方向に回動させて、表示部５を眼前から待避させる。
【００１４】
この実施の形態においては、ディスプレイアーム４にグリップ６が取り付けられている。グリップ６は、使用者の顔の側面部に位置するように取り付けられ、ヘッドマウントディスプレイの使用時に、使用者の視界に入らないようにされている。ディスプレイアーム４を回動させるとき、使用者はグリップ６をつまんで、ディスプレイアーム４を回動させる。これにより、ディスプレイアーム４を回動させるとき、使用者が表示部５を掴んで回動させることを防ぐことができる。グリップ６の表面には凹凸を付け、その位置が手で触って分かりやすくなるようにすると共に、手との間に摩擦力を与えるようにすることが好ましい。
【００１５】
また、このグリップ６部に、表示又は電源をオンオフするスイッチ、又は表示や音声を制御するリモートコントロールスイッチを取り付け、使用者がこれらのスイッチを操作できるようにしてもよい。
【００１６】
また、通常の状態では、ディスプレイアーム支持部３とディスプレイアーム４との間の回動がロックされるようにしておき、グリップ６を両側から強く挟み込んだときのみロックが外れて回動が可能なようにしてもよい。このような機構の例を図２に示す。図２において、（ｂ）は（ａ）におけるＡ−Ａ断面図である。図２（ｂ）に示すように、ディスプレイアーム支持部３の摺動部３ａとディスプレイアーム４の摺動部４ａとが接触して摺動するようになっており、これにより、ディスプレイアーム４がディスプレイアーム支持部３に回動可能に保持されている。ディスプレイアーム支持部３の先端部には噛み合い部３ｃが設けられており、その表面部には噛み合うための凹凸が設けられている。グリップ６には、弾性部６ａが取り付けられており、弾性部６ａの先端には係止棒７が取り付けられている。係止棒７の先端部は噛み合い部７ａとなっている。
【００１７】
通常の状態では、係止棒７がスプリング８により図の右側に付勢され、噛み合い部７ａが噛み合い部３ｃと接触するようにされているので、噛み合い部７ａと噛み合い部３ｃが接触して噛み合い、その結果、ディスプレイアーム４がディスプレイアーム支持部３に対して回動できないようになっている。
【００１８】
グリップ６を両側から押し込むと、弾性部６ａが押されて、その結果係止棒７が矢印に示すように、スプリング８の付勢力に抗して左側に移動し、その結果、噛み合い部７ａと噛み合い部３ｃの噛み合いが外れて、ディスプレイアーム４がディスプレイアーム支持部３に対して回動可能となる。なお、９は表示部５への配線であり、ディスプレイアーム支持部３とディスプレイアーム４の空洞部を通っている。
【図面の簡単な説明】
【００１９】
【図１】本発明の実施の形態の１例であるヘッドマウントディスプレイを装着した様子を示す概要図である。
【図２】回動係止機構の例の概要を示す図である。
【符号の説明】
【００２０】
１…ヘッドホーンハウジング、２…連結部、３…ディスプレイアーム支持部、３ａ…摺動部、３ｃ…噛み合い部、４…ディスプレイアーム、４ａ…摺動部、５…表示部、６…グリップ、６ａ…弾性部、７…係止棒、７ａ…噛み合い部、８…スプリング、９…配線
【図１】
2007251305.tif 000003
【図２】
2007251305.tif 000004